(57)【要約】【課題】表示部の表示内容の視認性を向上する。【解決手段】画像形成装置１００は、画像形成部１３、給送カセット１１、筐体１０、及び表示部材６を備える。画像形成部１３は、用紙Ｐに画像を形成する。給送カセット１１は、用紙Ｐを収納し、画像形成部１３に用紙Ｐを給送する。筐体１０は、画像形成部１３及び給送カセット１１を収容する。表示部材６は、給送カセット１１に収納された用紙Ｐに関する情報を表示する。給送カセット１１の外周板、及び筐体１０の側板の少なくとも一方は、湾曲板１０１を有する。表示部材６は、湾曲板１０１に配置されている。湾曲板１０１の一部は前方向に向き、湾曲板１０１の他の一部は左方向に向いている。【選択図】図２
2018118820.tif 000002
【特許請求の範囲】
【請求項１】
記録媒体に画像を形成する画像形成部と、
前記記録媒体を収納し、前記画像形成部に前記記録媒体を給送する給送カセットと、
前記画像形成部及び前記給送カセットを収容する筐体と、
前記給送カセットに収納された前記記録媒体に関する情報を表示する表示部材と
を備え、
前記給送カセットの外周板、及び前記筐体の側板の少なくとも一方は、湾曲板を有し、
前記表示部材は前記湾曲板に配置されており、
前記湾曲板の一部は第１方向に向き、前記湾曲板の他の一部は前記第１方向と異なる第２方向に向いている、画像形成装置。
【請求項２】
前記表示部材は、前記湾曲板に沿って配置される電子ペーパーを備える、請求項１に記載の画像形成装置。
【請求項３】
前記電子ペーパーは、前記給送カセットに配置され、無線で給電される、請求項２に記載の画像形成装置。
【請求項４】
上下方向に配列された複数の前記給送カセットを備え、
前記表示部材は、前記筐体の前記側板の前記湾曲板に配置され、
前記表示部材は、前記複数の前記給送カセットにそれぞれ収納された前記記録媒体に関する情報を表示し、
前記表示部材は、１枚の前記電子ペーパーで構成される、請求項２に記載の画像形成装置。
【請求項５】
前記表示部材は、前記複数の前記給送カセットのうち、１つの前記給送カセットに収納された前記記録媒体に関する情報を表示する第１表示部と、他の前記給送カセットに収納された前記記録媒体に関する情報を表示する第２表示部とを有し、
前記第１表示部と前記第２表示部との間には、前記筐体を構成する前記側板の一部が配置される、請求項４に記載の画像形成装置。
【請求項６】
前記表示部材は、前記記録媒体を給送中であることを表示する、請求項１から請求項５のいずれか１項に記載の画像形成装置。
【請求項７】
前記給送カセットに補給した前記記録媒体の枚数を受け付ける受付部と、
前記受付部が受け付けた前記記録媒体の枚数に基づいて、前記給送カセットに収納された前記記録媒体の残枚数を算出する算出部と
を更に備え、
前記表示部材は、前記算出部が算出した前記記録媒体の残枚数を表示する、請求項１から請求項６のいずれか１項に記載の画像形成装置。
【発明の詳細な説明】
【技術分野】
【０００１】
本発明は、画像形成装置に関する。
【背景技術】
【０００２】
特許文献１に記載の複合機は、給紙カセット、及びＬＣＤ表示部を備える。ＬＣＤ表示部は、給紙カセットの前面壁に設けられ、任意の文字列を発光表示可能に構成される。ＬＣＤ表示部は、給紙カセット内の用紙の種別を表示する。
【先行技術文献】
【特許文献】
【０００３】
【特許文献１】特開２００６−２３２５３９号公報
【発明の概要】
【発明が解決しようとする課題】
【０００４】
しかしながら、特許文献１に記載の複合機では、ＬＣＤ表示部が給紙カセットの前面壁に設けられているため、ユーザーがＬＣＤ表示部の表示内容を視認可能な範囲が限定されている。具体的には、ユーザーが、ＬＣＤ表示部の正面に近い位置に居る場合には、ＬＣＤ表示部の表示内容を視認可能であるが、ＬＣＤ表示部の正面から離間した位置に居る場合には、ＬＣＤ表示部の表示内容を視認できない可能性がある。例えば、ＬＣＤ表示部の側方にユーザーが居る場合には、ＬＣＤ表示部の表示内容を視認できない。
【０００５】
本発明は、上記課題に鑑みてなされたものであり、表示部の表示内容の視認性を向上することの可能な画像形成装置を提供することを目的としている。
【課題を解決するための手段】
【０００６】
本発明に係る画像形成装置は、画像形成部、給送カセット、筐体、及び表示部材を備える。前記画像形成部は、記録媒体に画像を形成する。前記給送カセットは、前記記録媒体を収納し、前記画像形成部に前記記録媒体を給送する。前記筐体は、前記画像形成部及び前記給送カセットを収容する。前記表示部材は、前記給送カセットに収納された前記記録媒体に関する情報を表示する。前記給送カセットの外周板、及び前記筐体の側板の少なくとも一方は、湾曲板を有する。前記表示部材は前記湾曲板に配置されている。前記湾曲板の一部は第１方向に向き、前記湾曲板の他の一部は前記第１方向と異なる第２方向に向いている。
【発明の効果】
【０００７】
本発明の画像形成装置によれば、表示部の表示内容の視認性を向上できる。
【図面の簡単な説明】
【０００８】
【図１】本発明の実施形態に係る画像形成装置の構成を示す図である。
【図２】表示部材の配置の一例を示す図である。（ａ）は、画像形成装置の平面図である。（ｂ）は、画像形成装置の正面図である。
【図３】表示部材の配置の一例を示す画像形成装置の左側面図である。
【図４】本発明の実施形態に係る制御部の構成を示す図である。
【図５】表示部材の第１表示部の表示内容の一例を示す画面図である。
【図６】制御部の処理を示すフローチャートである。
【図７】制御部の「残枚数算出処理」を示すフローチャートである。
【図８】表示部材の配置の図２とは別の一例を示す図である。（ａ）は、画像形成装置の平面図である。（ｂ）は、画像形成装置の正面図である。
【図９】表示部材の配置の図３とは別の一例を示す画像形成装置の左側面図である。
【発明を実施するための形態】
【０００９】
以下、本発明の実施形態について、図面（図１〜図９）を参照しながら説明する。なお、図中、同一又は相当部分については同一の参照符号を付して説明を繰り返さない。
【００１０】
まず、図１を参照して本発明の実施形態に係る画像形成装置１００の構成について説明する。図１は、画像形成装置１００の構成を示す図である。図１に示すように、画像形成装置１００は複合機である。画像形成装置１００は、画像形成ユニット１、画像読取ユニット２、原稿搬送ユニット３、操作表示部４及び制御部５を備える。
【００１１】
また、図１には、Ｘ軸、Ｙ軸及びＺ軸を記載している。Ｚ軸は、鉛直方向に平行である。Ｘ軸及びＹ軸は、水平方向に平行である。Ｘ軸、Ｙ軸及びＺ軸は互いに直交する。具体的には、Ｘ軸は、画像形成装置１００の前後方向を示す。Ｙ軸は、画像形成装置１００の幅方向を示す。
【００１２】
画像形成ユニット１は、記録媒体の一例である用紙Ｐに画像を形成する。画像読取ユニット２は、原稿Ｒの表面に形成された画像を読み取る。原稿搬送ユニット３は、原稿Ｒを画像読取ユニット２に供給する。操作表示部４は、ユーザーの操作を受け付ける。制御部５は、画像形成装置１００の動作を制御する。
【００１３】
また、画像形成ユニット１は、筐体１０、給送カセット１１及び画像形成部１３を備える。給送カセット１１は、用紙Ｐを画像形成部１３に給送する。また、給送カセット１１は、方向Ｆで示すＸ軸に平行な方向に引出及び装着可能に構成される。給送カセット１１から繰り出された用紙Ｐは、画像形成部１３まで搬送される。画像形成部１３は、用紙Ｐに画像を形成する。画像が形成された用紙Ｐは、用紙Ｐに形成された画像が用紙Ｐに定着された後、排出される。
【００１４】
本発明の実施形態では、画像形成ユニット１には、Ｚ軸方向（上下方向）に３つの給送カセット１１が配列される。具体的には、画像形成ユニット１は、上側から順に、第１給送カセット１１Ａ、第２給送カセット１１Ｂ及び第３給送カセット１１Ｃを備える。以下の説明において、第１給送カセット１１Ａ、第２給送カセット１１Ｂ及び第３給送カセット１１Ｃを、給送カセット１１と総称する場合がある。
【００１５】
また、第１給送カセット１１Ａは、リフト板１１１、後端カーソル１１３及び幅合わせカーソル対１１４を備える。リフト板１１１には、用紙Ｐが載置される。後端カーソル１１３は、用紙Ｐの後端を揃える。後端カーソル１１３は、用紙Ｐの給送方向と平行な方向に移動可能に設けられている。幅合わせカーソル対１１４は、第１給送カセット１１Ａに収納される用紙Ｐの幅方向（Ｙ軸方向）の位置決めを行う。
【００１６】
筐体１０は、給送カセット１１及び画像形成部１３を収容する。
【００１７】
操作表示部４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。タッチパネル４１は、タッチセンサーを更に備え、ユーザーの操作を受け付ける。
【００１８】
制御部５は、プロセッサー５Ａ及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。
【００１９】
次に、図２及び図３を参照して、表示部材６の配置について説明する。図２及び図３は、表示部材６の配置の一例を示す図である。図２（ａ）は、画像形成装置１００の平面図である。図２（ｂ）は、画像形成装置１００の正面図である。図３は、画像形成装置１００の左側面図である。
【００２０】
図２（ａ）に示すように、画像形成装置１００は、表示部材６を更に備える。また、筐体１０は、前側板１０Ｆ、右側板１０Ｒ、左側板１０Ｌ及び後側板１０Ｂを備える。前側板１０Ｆは、画像形成装置１００の前面側に配置される矩形平板状部材である。前面側は、Ｘ軸の負方向側を示す。右側板１０Ｒは、画像形成装置１００の右側に配置される矩形平板状部材である。右側は、Ｙ軸の負方向側を示す。左側板１０Ｌは、画像形成装置１００の左側に配置される矩形平板状部材である。左側は、Ｙ軸の正方向側を示す。後側板１０Ｂは、画像形成装置１００の後面側に配置される矩形平板状部材である。後面側は、Ｘ軸の正方向側を示す。
【００２１】
また、筐体１０は、湾曲板１０１、湾曲板１０２、湾曲板１０３及び湾曲板１０４を更に備える。湾曲板１０１、湾曲板１０２、湾曲板１０３及び湾曲板１０４は、筐体１０の側板の一部を構成する。また、湾曲板１０１、湾曲板１０２、湾曲板１０３及び湾曲板１０４は、例えば、円弧状に形成される。湾曲板１０１は、前側板１０Ｆと左側板１０Ｌとを滑らかに接続する。湾曲板１０２は、前側板１０Ｆと右側板１０Ｒとを滑らかに接続する。湾曲板１０３は、後側板１０Ｂと左側板１０Ｌとを滑らかに接続する。湾曲板１０４は、後側板１０Ｂと右側板１０Ｒとを滑らかに接続する。
【００２２】
表示部材６は、例えば、湾曲板１０１に沿って配置される。また、表示部材６は、給送カセット１１に収納された用紙Ｐに関する情報を表示する。具体的には、図２（ｂ）に示すように、表示部材６は、１枚の電子ペーパー６１を備える。電子ペーパー６１は、例えば、電気泳動方式で画像を表示する。また、表示部材６は、図略の駆動ＩＣ（Ｉｎｔｅｇｒａｔｅｄ  Ｃｉｒｃｕｉｔ）を更に備える。駆動ＩＣは、制御部５からの指示に基づき、電子ペーパー６１に画像を表示する。
【００２３】
また、図２（ｂ）に示すように、表示部材６は、第１表示部６Ａ１、第２表示部６Ｂ１及び第３表示部６Ｃ１を更に備える。第１表示部６Ａ１、第２表示部６Ｂ１及び第３表示部６Ｃ１は、Ｘ軸の負方向（前方向）を向く。第１表示部６Ａ１は、第１給送カセット１１Ａに収納された用紙Ｐに関する情報を表示する。第２表示部６Ｂ１は、第２給送カセット１１Ｂに収納された用紙Ｐに関する情報を表示する。第３表示部６Ｃ１は、第３給送カセット１１Ｃに収納された用紙Ｐに関する情報を表示する。
【００２４】
湾曲板１０１は、第１開口１０Ａ１、第２開口１０Ｂ１及び第３開口１０Ｃ１を備える。第１開口１０Ａ１、第２開口１０Ｂ１及び第３開口１０Ｃ１は、それぞれ、湾曲板１０１のうち、Ｘ軸の負方向（前方向）を向いた面に形成された矩形状の開口である。Ｘ軸の負方向（前方向）は、「第１方向」の一例に相当する。第１開口１０Ａ１、第２開口１０Ｂ１及び第３開口１０Ｃ１は、上下方向に配列される。第１開口１０Ａ１から外部に露出する電子ペーパー６１が、第１表示部６Ａ１を構成し、第２開口１０Ｂ１から外部に露出する電子ペーパー６１が、第２表示部６Ｂ１を構成し、第３開口１０Ｃ１から外部に露出する電子ペーパー６１が、第３表示部６Ｃ１を構成する。
【００２５】
湾曲板１０１は、区切り板１０Ｆ１及び区切り板１０Ｆ２を更に備える。区切り板１０Ｆ１は、第１開口１０Ａ１と第２開口１０Ｂ１との間に帯状に形成される。すなわち、区切り板１０Ｆ１は、第１表示部６Ａ１と第２表示部６Ｂ１との間に配置される。区切り板１０Ｆ２は、第２開口１０Ｂ１と第３開口１０Ｃ１との間に帯状に形成される。すなわち、区切り板１０Ｆ２は、第２表示部６Ｂ１と第３表示部６Ｃ１との間に配置される。区切り板１０Ｆ１及び区切り板１０Ｆ２は、「筐体１０を構成する側板の一部」に相当する。
【００２６】
また、図３に示すように、表示部材６は、第１表示部６Ａ２、第２表示部６Ｂ２及び第３表示部６Ｃ２を更に備える。第１表示部６Ａ２、第２表示部６Ｂ２及び第３表示部６Ｃ２は、Ｙ軸の正方向（左方向）を向く。Ｙ軸の正方向は、「第２方向」の一例に相当する。第１表示部６Ａ２は、第１給送カセット１１Ａに収納された用紙Ｐに関する情報を表示する。第２表示部６Ｂ２は、第２給送カセット１１Ｂに収納された用紙Ｐに関する情報を表示する。第３表示部６Ｃ２は、第３給送カセット１１Ｃに収納された用紙Ｐに関する情報を表示する。
【００２７】
湾曲板１０１は、第１開口１０Ａ２、第２開口１０Ｂ２及び第３開口１０Ｃ２を更に備える。第１開口１０Ａ２、第２開口１０Ｂ２及び第３開口１０Ｃ２は、それぞれ、湾曲板１０１のうち、Ｙ軸の正方向（左方向）を向いた面に形成された矩形状の開口である。第１開口１０Ａ２、第２開口１０Ｂ２及び第３開口１０Ｃ２は、上下方向に配列される。第１開口１０Ａ２から外部に露出する電子ペーパー６１が、第１表示部６Ａ２を構成し、第２開口１０Ｂ２から外部に露出する電子ペーパー６１が、第２表示部６Ｂ２を構成し、第３開口１０Ｃ２から外部に露出する電子ペーパー６１が、第３表示部６Ｃ２を構成する。
【００２８】
湾曲板１０１は、更に、区切り板１０Ｌ１及び区切り板１０Ｌ２を備える。区切り板１０Ｌ１は、第１開口１０Ａ２と第２開口１０Ｂ２との間に帯状に形成される。すなわち、区切り板１０Ｌ１は、第１表示部６Ａ２と第２表示部６Ｂ２との間に配置される。また、区切り板１０Ｌ２は、第２開口１０Ｂ２と第３開口１０Ｃ２との間に帯状に形成される。すなわち、区切り板１０Ｌ２は、第２表示部６Ｂ２と第３表示部６Ｃ２との間に配置される。区切り板１０Ｌ１及び区切り板１０Ｌ２は、「筐体１０を構成する側板の一部」に相当する。
【００２９】
以上、図１〜図３を参照して説明したように、本発明の実施形態では、給送カセット１１に収納された用紙Ｐに関する情報を表示する表示部材６がＸ軸の負方向（第１方向）及びＹ軸の正方向（第２方向）に向いた湾曲板１０１に配置されるため、表示部材６が１つの方向を向いている場合と比較して表示部材６の表示内容の視認性を向上できる。
【００３０】
また、表示部材６が、湾曲板１０１に沿って配置される電子ペーパー６１を備える。したがって、電子ペーパー６１に種々の情報を表示できる。また、電子ペーパー６１は、電源をオフした場合にも、表示状態を保持できる。したがって、表示部材６の表示内容の視認性を更に向上できる。
【００３１】
更に、表示部材６は筐体１０の湾曲板１０１に配置される。表示部材６は、３つの給送カセット１１にそれぞれ収納された用紙Ｐに関する情報を表示する。表示部材６は、１枚の電子ペーパー６１で構成される。よって、給送カセット１１毎に電子ペーパーを備える場合と比較して、駆動ＩＣの台数を削減できる。したがって、画像形成装置１００の製造コストを削減できる。
【００３２】
また、表示部材６は第１表示部６Ａ１と第２表示部６Ｂ１と第３表示部６Ｃ１とを備える。第１表示部６Ａ１は、第１給送カセット１１Ａに収納された用紙Ｐに関する情報を表示する。第２表示部６Ｂ１は、第２給送カセット１１Ｂに収納された用紙Ｐに関する情報を表示する。第３表示部６Ｃ１は、第３給送カセット１１Ｃに収納された用紙Ｐに関する情報を表示する。第１表示部６Ａ１と第２表示部６Ｂ１との間には、区切り板１０Ｆ１が配置される。第２表示部６Ｂ１と第３表示部６Ｃ１との間には、区切り板１０Ｆ２が配置される。したがって、第１表示部６Ａ１と第２表示部６Ｂ１との間に区切り板１０Ｆ１が配置されるため、第１表示部６Ａ１と第２表示部６Ｂ１とが、あたかもそれぞれ１枚の電子ペーパーを備えるように、第１表示部６Ａ１と第２表示部６Ｂ１とに画像を表示できる。同様に、第２表示部６Ｂ１と第３表示部６Ｃ１との間に区切り板１０Ｆ２が配置されるため、第２表示部６Ｂ１と第３表示部６Ｃ１とが、あたかもそれぞれ１枚の電子ペーパーを備えるように、第２表示部６Ｂ１と第３表示部６Ｃ１とに画像を表示できる。したがって、簡素な構成で、表示部材６の表示内容の視認性を更に向上できる。
【００３３】
以上、図１〜図３を参照して説明したように、本発明の実施形態では、表示部材６が、前方及び左側方を向いた湾曲板１０１に沿って配置されるが、本発明はこれに限定されない。表示部材６が、湾曲板に沿って配置されればよい。具体的には、表示部材６が、湾曲板１０１、湾曲板１０２、湾曲板１０３及び湾曲板１０４のいずれか１つに沿って配置されればよい。例えば、図２（ｂ）の２点鎖線で示すように、表示部材６が、湾曲板１０２に沿って配置される形態でもよい。
【００３４】
次に、図１〜図４を参照して、制御部５の構成について説明する。図４は、本発明の実施形態に係る制御部５の構成を示す図である。図４に示すように、制御部５は、判定部５１、受付部５２、算出部５３、表示制御部５４、残量検出部５５及びサイズ検出部５６を備える。具体的には、プロセッサー５Ａが、制御プログラムを実行することにより、判定部５１、受付部５２、算出部５３、表示制御部５４、残量検出部５５及びサイズ検出部５６として機能する。
【００３５】
判定部５１は、給送カセット１１から用紙Ｐを給送中であるか否かを判定する。具体的には、判定部５１は、第１給送カセット１１Ａから用紙Ｐを給送中であるか否かを判定し、第２給送カセット１１Ｂから用紙Ｐを給送中であるか否かを判定し、第３給送カセット１１Ｃから用紙Ｐを給送中であるか否かを判定する。
【００３６】
受付部５２は、給送カセット１１に補給した用紙Ｐの枚数ＮＳを受け付ける。具体的には、受付部５２は、ユーザーによるタッチパネル４１の操作に基づいて、第１給送カセット１１Ａに補給した用紙Ｐの枚数ＮＳＡを受け付け、第２給送カセット１１Ｂに補給した用紙Ｐの枚数ＮＳＢを受け付け、第３給送カセット１１Ｃに補給した用紙Ｐの枚数ＮＳＣを受け付ける。以下の説明において、枚数ＮＳＡ、枚数ＮＳＢ及び枚数ＮＳＣを枚数ＮＳと総称する場合がある。
【００３７】
算出部５３は、受付部５２が受け付けた用紙Ｐの枚数ＮＳに基づいて、給送カセット１１に収納された用紙Ｐの残枚数ＮＰを算出する。具体的には、算出部５３は、枚数ＮＳＡに基づいて第１給送カセット１１Ａに収納された用紙Ｐの残枚数ＮＰＡを算出し、枚数ＮＳＢに基づいて第２給送カセット１１Ｂに収納された用紙Ｐの残枚数ＮＰＢを算出し、枚数ＮＳＣに基づいて第３給送カセット１１Ｃに収納された用紙Ｐの残枚数ＮＰＣを算出する。以下の説明において、残枚数ＮＰＡ、残枚数ＮＰＢ及び残枚数ＮＰＣを、残枚数ＮＰと総称する場合がある。
【００３８】
残量検出部５５は、給送カセット１１に収納された用紙Ｐの残量ＱＰを検出する。具体的には、残量検出部５５は、第１給送カセット１１Ａに収納された用紙Ｐの残量ＱＰＡを検出し、第２給送カセット１１Ｂに収納された用紙Ｐの残量ＱＰＢを検出し、第３給送カセット１１Ｃに収納された用紙Ｐの残量ＱＰＣを検出する。例えば、残量検出部５５は、リフト板１１１の傾きを検出することによって、残量ＱＰＡを検出する。以下の説明において、残量ＱＰＡ、残量ＱＰＢ及び残量ＱＰＣを、残量ＱＰと総称する場合がある。
【００３９】
サイズ検出部５６は、給送カセット１１に収納された用紙ＰのサイズＳＰを検出する。具体的には、サイズ検出部５６は、第１給送カセット１１Ａに収納された用紙ＰのサイズＳＰＡを検出し、第２給送カセット１１Ｂに収納された用紙ＰのサイズＳＰＢを検出し、第３給送カセット１１Ｃに収納された用紙ＰのサイズＳＰＣを検出する。例えば、第１給送カセット１１Ａは、後端カーソル１１３の位置、及び幅合わせカーソル対１１４の位置に基づいて、用紙ＰのサイズＳＰＡを検出する。以下の説明において、サイズＳＰＡ、サイズＳＰＢ及びサイズＳＰＣを、サイズＳＰと総称する場合がある。
【００４０】
表示制御部５４は、判定部５１の判定結果に基づいて、用紙Ｐを給送中であることを電子ペーパー６１に表示する。具体的には、第１給送カセット１１Ａから用紙Ｐを給送中であると判定部５１が判定した場合には、表示制御部５４は、第１表示部６Ａ１及び第１表示部６Ａ２に用紙Ｐを給送中であることを表示する。また、第２給送カセット１１Ｂから用紙Ｐを給送中であると判定部５１が判定した場合には、表示制御部５４は、第２表示部６Ｂ１及び第２表示部６Ｂ２に用紙Ｐを給送中であることを表示する。更に、第３給送カセット１１Ｃから用紙Ｐを給送中であると判定部５１が判定した場合には、表示制御部５４は、第３表示部６Ｃ１及び第３表示部６Ｃ２に用紙Ｐを給送中であることを表示する。
【００４１】
また、表示制御部５４は、算出部５３の算出結果に基づいて、残枚数ＮＰを電子ペーパー６１に表示する。具体的には、表示制御部５４は、第１表示部６Ａ１及び第１表示部６Ａ２に残枚数ＮＰＡを表示し、第２表示部６Ｂ１及び第２表示部６Ｂ２に残枚数ＮＰＢを表示し、第３表示部６Ｃ１及び第３表示部６Ｃ２に残枚数ＮＰＣを表示する。
【００４２】
以上、図１〜図４を参照して説明したように、本発明の実施形態では、表示部材６が、用紙Ｐを給送中であることを表示する。したがって、用紙Ｐを給送中にユーザーが誤って給送カセット１１を引き出すことを抑制できる。
【００４３】
また、受付部５２が、給送カセット１１に補給した用紙Ｐの枚数ＮＳの入力を受け付ける。そして、算出部５３が、受付部５２が受け付けた枚数ＮＳに基づいて、給送カセット１１に収納された用紙Ｐの残枚数ＮＰを算出する。更に、表示部材６は、算出部５３が算出した用紙Ｐの残枚数ＮＰを表示する。したがって、ユーザーは用紙Ｐの残枚数ＮＰを確認できる。
【００４４】
更に、表示制御部５４が、第１表示部６Ａ１及び第１表示部６Ａ２に残枚数ＮＰＡを表示し、第２表示部６Ｂ１及び第２表示部６Ｂ２に残枚数ＮＰＢを表示し、第３表示部６Ｃ１及び第３表示部６Ｃ２に残枚数ＮＰＣを表示する。したがって、第１給送カセット１１Ａの残枚数ＮＰＡ、第２給送カセット１１Ｂの残枚数ＮＰＢ及び第３給送カセット１１Ｃの残枚数ＮＰＣを、ユーザーが容易に確認できる。また、残枚数ＮＰＡが第１表示部６Ａ１及び第１表示部６Ａ２に表示され、残枚数ＮＰＢが第２表示部６Ｂ１及び第２表示部６Ｂ２に表示され、残枚数ＮＰＣが第３表示部６Ｃ１及び第３表示部６Ｃ２に表示されるため、残枚数ＮＰＡ、残枚数ＮＰＢ及び残枚数ＮＰＣの視認性を向上できる。
【００４５】
次に、図１〜図５を参照して、制御部５の処理について説明する。図５は、表示部材６の第１表示部６Ａ１の表示内容の一例を示す画面図である。図５に示すように、第１表示部６Ａ１には、給送表示部６０１、サイズ表示部６０２、枚数表示部６０３及び残量表示部６０４が表示されている。
【００４６】
給送表示部６０１には、判定部５１の判定結果に基づいて、表示制御部５４が用紙Ｐを給送中であることを表示する。具体的には、判定部５１が第１給送カセット１１Ａから用紙Ｐを給送中であると判定した場合に、表示制御部５４は、第１給送カセット１１Ａから用紙Ｐを給送中であることを給送表示部６０１に表示する。例えば、給送表示部６０１には、「給送中（引出禁止）」との文字情報が表示される。その結果、ユーザーは、第１給送カセット１１Ａから用紙Ｐを給送中であるために、第１給送カセット１１Ａの引き出しが禁止されていることが判る。
【００４７】
また、サイズ表示部６０２には、サイズ検出部５６の検出結果に基づいて、表示制御部５４が用紙ＰのサイズＳＰを表示する。具体的には、サイズ検出部５６が第１給送カセット１１Ａに収納された用紙ＰのサイズＳＰＡを検出し、表示制御部５４が、サイズＳＰＡをサイズ表示部６０２に表示する。例えば、サイズ表示部６０２には、「Ａ４」と表示されている。すなわち、サイズＳＰＡが、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）２１６で規定された「Ａ４」サイズであることを示している。
【００４８】
また、枚数表示部６０３には、算出部５３の算出結果に基づいて、表示制御部５４が用紙Ｐの残枚数ＮＰを表示する。具体的には、算出部５３が、第１給送カセット１１Ａに収納された用紙Ｐの残枚数ＮＰＡを算出し、表示制御部５４が残枚数ＮＰＡを枚数表示部６０３に表示する。例えば、枚数表示部６０３には、「４５０枚」と表示されている。すなわち、残枚数ＮＰＡが「４５０枚」であることを示している。
【００４９】
また、残量表示部６０４には、残量検出部５５の検出結果に基づいて、表示制御部５４が用紙Ｐの残量ＱＰを表示する。具体的には、残量検出部５５が、第１給送カセット１１Ａに収納された用紙Ｐの残量ＱＰＡを検出し、表示制御部５４が残量ＱＰＡを残量表示部６０４に表示する。例えば、残量表示部６０４には、「９０％」と表示されている。すなわち、残量ＱＰＡが「９０％」であることを示している。
【００５０】
以上、図１〜図５を参照して説明したように、本発明の実施形態では、サイズ検出部５６の検出結果に基づいて、表示制御部５４が用紙ＰのサイズＳＰを表示する。したがって、ユーザーは、給送カセット１１に収納された用紙ＰのサイズＳＰを確認できる。
【００５１】
具体的には、表示制御部５４は、第１表示部６Ａ１及び第１表示部６Ａ２にサイズＳＰＡを表示し、第２表示部６Ｂ１及び第２表示部６Ｂ２にサイズＳＰＢを表示し、第３表示部６Ｃ１及び第３表示部６Ｃ２にサイズＳＰＣを表示する。したがって、第１給送カセット１１Ａの用紙ＰのサイズＳＰＡ、第２給送カセット１１Ｂの用紙ＰのサイズＳＰＢ、及び第３給送カセット１１Ｃの用紙ＰのサイズＳＰＣを、ユーザーが容易に確認できる。また、サイズＳＰＡが第１表示部６Ａ１及び第１表示部６Ａ２に表示され、サイズＳＰＢが第２表示部６Ｂ１及び第２表示部６Ｂ２に表示され、サイズＳＰＣが第３表示部６Ｃ１及び第３表示部６Ｃ２に表示されるため、サイズＳＰＡ、サイズＳＰＢ及びサイズＳＰＣの視認性を向上できる。
【００５２】
また、残量検出部５５の検出結果に基づいて、表示制御部５４が用紙Ｐの残量ＱＰを表示する。したがって、ユーザーは、給送カセット１１に収納された用紙Ｐの残量ＱＰを確認できる。
【００５３】
具体的には、表示制御部５４は、第１表示部６Ａ１及び第１表示部６Ａ２に残量ＱＰＡを表示し、第２表示部６Ｂ１及び第２表示部６Ｂ２に残量ＱＰＢを表示し、第３表示部６Ｃ１及び第３表示部６Ｃ２に残量ＱＰＣを表示する。したがって、第１給送カセット１１Ａの残量ＱＰＡ、第２給送カセット１１Ｂの残量ＱＰＢ及び第３給送カセット１１Ｃの残量ＱＰＣを、ユーザーが容易に確認できる。また、残量ＱＰＡが第１表示部６Ａ１及び第１表示部６Ａ２に表示され、残量ＱＰＢが第２表示部６Ｂ１及び第２表示部６Ｂ２に表示され、残量ＱＰＣが第３表示部６Ｃ１及び第３表示部６Ｃ２に表示されるため、サイズＳＰＡ、サイズＳＰＢ及びサイズＳＰＣの視認性を向上できる。
【００５４】
次に、図１〜図６を参照して、制御部５の処理について説明する。図６は、制御部５の処理を示すフローチャートである。
図６に示すように、ステップＳ１０１において、判定部５１が、給送カセット１１から用紙Ｐを給送中であるか否かを判定する。
給送カセット１１から用紙Ｐを給送中ではないと判定部５１が判定した場合（ステップＳ１０１でＮＯ）には、処理がステップＳ１０５に進む。給送カセット１１から用紙Ｐを給送中であると判定部５１が判定した場合（ステップＳ１０１でＹＥＳ）には、処理がステップＳ１０３に進む。
そして、ステップＳ１０３において、表示制御部５４が、用紙Ｐを給送中であることを電子ペーパー６１に表示する。
次に、ステップＳ１０５において、制御部５が、用紙Ｐの残枚数ＮＰを算出するか否かを判定する。例えば、制御部５は、ユーザーによるタッチパネル４１の操作に基づき、給送カセット１１の用紙Ｐの残枚数ＮＰを算出するか否かを判定する。
残枚数ＮＰを算出しないと制御部５が判定した場合（ステップＳ１０５でＮＯ）には、処理がステップＳ１１１に進む。残枚数ＮＰを算出すると制御部５が判定した場合（ステップＳ１０５でＹＥＳ）には、処理がステップＳ１０７に進む。
そして、ステップＳ１０７において、制御部５が「残枚数算出処理」を行う。「残枚数算出処理」は、給送カセット１１に収納された用紙Ｐの残枚数ＮＰを算出する処理を示す。
次に、ステップＳ１０９において、表示制御部５４が残枚数ＮＰを電子ペーパー６１に表示し、処理がステップＳ１１５に進む。
【００５５】
ステップＳ１０５でＮＯの場合には、ステップＳ１１１において、残量検出部５５が、給送カセット１１に収納された用紙Ｐの残量ＱＰを検出する。
そして、ステップＳ１１３において、表示制御部５４が残量ＱＰを電子ペーパー６１に表示する。
次に、ステップＳ１１５において、サイズ検出部５６が、給送カセット１１に収納された用紙ＰのサイズＳＰを検出する。
そして、ステップＳ１１７において、表示制御部５４が、サイズＳＰを電子ペーパー６１に表示し、処理が終了する。
【００５６】
以上、図１〜図６を参照して説明したように、本発明の実施形態では、制御部５は、ユーザーによるタッチパネル４１の操作に基づき、給送カセット１１の用紙Ｐの残枚数ＮＰを算出するか否かを判定する。したがって、ユーザーが残枚数ＮＰを表示するか否かを決定できる。したがって、ユーザーの利便性を向上できる。
【００５７】
図１〜図６を参照して説明したように、本発明の実施形態では、表示制御部５４が残枚数ＮＰ又は残量ＱＰを電子ペーパー６１に表示するが、本発明はこれに限定されない。残枚数ＮＰ及び残量ＱＰの少なくとも一方を電子ペーパー６１に表示すればよい。例えば、表示制御部５４が残枚数ＮＰ及び残量ＱＰを表示する形態でもよい。
【００５８】
次に、図１〜図７を参照して、制御部５の処理について更に説明する。図７は、制御部５の「残枚数算出処理」を示すフローチャートである。
図７に示すように、まず、ステップＳ２０１において、受付部５２が給送カセット１１に補給した用紙Ｐの枚数ＮＳを受け付けたか否かを判定する。
枚数ＮＳを受け付けていないと受付部５２が判定した場合（ステップＳ２０１でＮＯ）には、処理がステップＳ２０５に進む。枚数ＮＳを受け付けたと受付部５２が判定した場合（ステップＳ２０１でＹＥＳ）には、処理がステップＳ２０３に進む。
そして、ステップＳ２０３において、算出部５３が残枚数ＮＰに枚数ＮＳを加算して残枚数ＮＰを更新する。具体的には、算出部５３が残枚数ＮＰに枚数ＮＳを加算した和を新たな残枚数ＮＰとする。
次に、ステップＳ２０５において、給送カセット１１に収納された用紙Ｐが給送されたか否かを算出部５３が判定する。
給送カセット１１に収納された用紙Ｐが給送されていないと算出部５３が判定した場合（ステップＳ２０５でＮＯ）には、処理が図６のステップＳ１０９にリターンする。給送カセット１１に収納された用紙Ｐが給送されたと算出部５３が判定した場合（ステップＳ２０５でＹＥＳ）には、処理がステップＳ２０７に進む。
そして、ステップＳ２０７において、算出部５３が残枚数ＮＰを１枚だけディクリメントし、処理が図６のステップＳ１０９にリターンする。
【００５９】
以上、図１〜図７を参照して説明したように、本発明の実施形態では、受付部５２が給送カセット１１に補給した用紙Ｐの枚数ＮＳを受け付けた場合に、算出部５３が残枚数ＮＰに枚数ＮＳを加算して残枚数ＮＰを更新する。また、給送カセット１１に収納された用紙Ｐが給送された場合に、算出部５３が残枚数ＮＰを１枚だけディクリメントする。したがって、算出部５３が残枚数ＮＰを正確に算出できる。
【００６０】
次に、図１〜図９を参照して、表示部材６の配置について更に説明する。図８は、表示部材６の配置の図２とは別の一例を示す図である。図８（ａ）は、画像形成装置１００の平面図である。図８（ｂ）は、画像形成装置１００の正面図である。図９は、表示部材６の配置の図３とは別の一例を示す画像形成装置１００の左側面図である。図２及び図３に示す表示部材６が筐体１０の湾曲板１０１に沿って配置されるのに対して、図８及び図９で示す表示部材６は、給送カセット１１に配置されている点で相違している。以下では、図２及び図３に示す表示部材６と相違する点について主に説明する。
【００６１】
図８（ａ）に示すように、表示部材６は、給送カセット１１に配置される。具体的には、表示部材６は、給送カセット１１のＸ軸の負方向（前方向）を向く面と、給送カセット１１のＹ軸の正方向（左方向）を向く面とに配置される。例えば、表示部材６は、給送カセット１１のＸ軸の負方向（前方向）を向く面、及びＹ軸の正方向（左方向）を向く面に貼付される。
【００６２】
更に具体的には、図８（ｂ）及び図９に示すように、表示部材６は、第１電子ペーパー６Ａ、第２電子ペーパー６Ｂ及び第３電子ペーパー６Ｃを備える。第１電子ペーパー６Ａ、第２電子ペーパー６Ｂ及び第３電子ペーパー６Ｃには、筐体１０に配置された電源部（図示省略）から無線で電力が供給される。また、第１電子ペーパー６Ａ、第２電子ペーパー６Ｂ及び第３電子ペーパー６Ｃにそれぞれ表示する情報は、制御部５から無線で送信される。
【００６３】
第１電子ペーパー６Ａは、第１給送カセット１１Ａに配置される。第１電子ペーパー６Ａは、第１表示部６Ａ１及び第１表示部６Ａ２を備える。第２電子ペーパー６Ｂは、第２給送カセット１１Ｂに配置される。第２電子ペーパー６Ｂは、第２表示部６Ｂ１及び第２表示部６Ｂ２を備える。第３電子ペーパー６Ｃは、第３給送カセット１１Ｃに配置される。第３電子ペーパー６Ｃは、第３表示部６Ｃ１及び第３表示部６Ｃ２を備える。第１表示部６Ａ１、第２表示部６Ｂ１及び第３表示部６Ｃ１は、Ｘ軸の負方向（前方向）を向く。第１表示部６Ａ２、第２表示部６Ｂ２及び第３表示部６Ｃ２は、Ｙ軸の正方向（左方向）を向く。
【００６４】
第１表示部６Ａ１及び第１表示部６Ａ２は、それぞれ、第１給送カセット１１Ａに収納された用紙Ｐに関する情報を表示する。第２表示部６Ｂ１及び第２表示部６Ｂ２は、それぞれ、第２給送カセット１１Ｂに収納された用紙Ｐに関する情報を表示する。第３表示部６Ｃ１及び第３表示部６Ｃ２は、それぞれ、第３給送カセット１１Ｃに収納された用紙Ｐに関する情報を表示する。
【００６５】
以上、図１〜図９を参照して説明したように、第１表示部６Ａ１及び第１表示部６Ａ２は、それぞれ、第１給送カセット１１Ａに収納された用紙Ｐに関する情報を表示する。第２表示部６Ｂ１及び第２表示部６Ｂ２は、それぞれ、第２給送カセット１１Ｂに収納された用紙Ｐに関する情報を表示する。第３表示部６Ｃ１及び第３表示部６Ｃ２は、それぞれ、第３給送カセット１１Ｃに収納された用紙Ｐに関する情報を表示する。したがって、第１給送カセット１１Ａ、第２給送カセット１１Ｂ及び第３給送カセット１１Ｃにそれぞれ収納された用紙Ｐに関する情報をユーザーに見易く表示できる。
【００６６】
また、第１電子ペーパー６Ａ、第２電子ペーパー６Ｂ及び第３電子ペーパー６Ｃには、筐体１０に配置された電源部（図示省略）から無線で電力が供給される。したがって、給送カセット１１が着脱されることに伴い、給電配線が損傷することを回避できる。
【００６７】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６８】
（１）図１を参照して説明したように、画像形成装置１００が複合機であるが、本発明はこれに限定されない。画像形成装置１００が画像形成部１３と給送カセット１１とを備えればよい。例えば、画像形成装置１００がプリンターである形態でもよい。
【００６９】
（２）図１を参照して説明したように、画像形成装置１００が第１給送カセット１１Ａ、第２給送カセット１１Ｂ及び第３給送カセット１１Ｃを備えるが、本発明はこれに限定されない。画像形成装置１００が給送カセットを備えればよい。例えば、画像形成装置１００が１つ（又は２つ）の給送カセットを備える形態でもよいし、画像形成装置１００が４つ以上の給送カセットを備える形態でもよい。
【００７０】
（３）図１〜図３を参照して説明したように、表示部材６が電子ペーパー６１を備えるが、本発明はこれに限定されない。表示部材６が用紙Ｐに関する情報を表示すればよい。例えば、表示部材６が可撓性を有する樹脂板であって、樹脂板にユーザーが用紙Ｐに関する情報を記入する形態でもよい。
【００７１】
（４）図１〜図９を参照して説明したように、第１電子ペーパー６Ａ、第２電子ペーパー６Ｂ及び第３電子ペーパー６Ｃには、電源部から無線で電力が供給されるが本発明はこれに限定されない。第１電子ペーパー６Ａ、第２電子ペーパー６Ｂ及び第３電子ペーパー６Ｃに電源部から電力が供給されればよい。例えば、第１電子ペーパー６Ａ、第２電子ペーパー６Ｂ及び第３電子ペーパー６Ｃに電源部から配線を介して電力が供給される形態でもよい。
【産業上の利用可能性】
【００７２】
本発明は、画像形成装置に関するものであり、産業上の利用可能性を有する。
【符号の説明】
【００７３】
１００    画像形成装置
１    画像形成ユニット
１０    筐体
１０１、１０２、１０３、１０４    湾曲板
１０Ａ１、１０Ａ２    第１開口
１０Ｂ１、１０Ｂ２    第２開口
１０Ｃ１、１０Ｃ２    第３開口
１０Ｆ    前側板
１０Ｆ１、１０Ｆ２    区切り板
１０Ｒ    右側板
１０Ｌ    左側板
１０Ｌ１、１０Ｌ２    区切り板
１０Ｂ    後側板
１１    給送カセット
１１Ａ    第１給送カセット
１１Ｂ    第２給送カセット
１１Ｃ    第３給送カセット
１１１    リフト板
１１３    後端カーソル
１１４    幅合わせカーソル対
１３    画像形成部
２    画像読取ユニット
３    原稿搬送ユニット
４    操作表示部
４１    タッチパネル
５    制御部
５Ａ    プロセッサー
５Ｂ    記憶部
５１    判定部
５２    受付部
５３    算出部
５４    表示制御部
５５    残量検出部
５６    サイズ検出部
６    表示部材
６１    電子ペーパー
６Ａ    第１電子ペーパー
６Ｂ    第２電子ペーパー
６Ｃ    第３電子ペーパー
６Ａ１、６Ａ２    第１表示部
６Ｂ１、６Ｂ２    第２表示部
６Ｃ１、６Ｃ２    第３表示部
【図１】
2018118820.tif 000003
【図２】
2018118820.tif 000004
【図３】
2018118820.tif 000005
【図４】
2018118820.tif 000006
【図５】
2018118820.tif 000007
【図６】
2018118820.tif 000008
【図７】
2018118820.tif 000009
【図８】
2018118820.tif 000010
【図９】
2018118820.tif 000011